【事件の表示】
　平成１０年特許願第１０８０３６号「コンバインの放出筒操作装置」拒絶査定に対する審判事件［平成１０年１１月　４日出願公開、特開平１０−２９０６２２］について、次のとおり審決する。
【結　論】
　本件審判の請求は、成り立たない。
【理　由】
１．手続き経緯・本願発明
　本願は、昭和６１年７月１１日に出願された特願昭６１−１６３４０３号を特許法第４４条第１項の規定により平成８年１月２３日に分割して新たな特許出願（特願平８−９４０６号）とし、当該特許出願を、さらに分割して新たな特許出願としてものであって、本願発明の要旨は、、平成１３年１１月１６日付けの手続補正書によって補正された明細書および図面の記載からみて、特許請求の範囲の第１項に記載された次のとおりのものと認める。（以下、「本願発明」という。）
「【請求項１】走行装置１０・１０を有する機体１の前側に刈取部２を設け、該刈部２の後方における機体１前部には、進行方向右側に操作装置５０・５０ａおよび座席５ １を囲い込むキャビン５を、進行方向左側に刈取部２で刈り取った穀稈を移送する穀稈移送装置３を夫れ夫れ設け、前記キャビン５の後側に、収穫穀粒を一時貯留するグレンタンク７を、前記穀稈移送装置３の後側に刈取穀稈を脱穀処理する脱穀部４を、夫れ夫れ設けたコンバインにおいて、前記グレンタンク７の後側に設ける揚穀筒８０の上端部に放出筒８１の基端部を接続連通して、該放出筒８１を旋回及び起伏回動可能に構成し、前記キャビン５の後面側に窓５２を形成すると共に該窓５２と前記放出筒８１の基端部とをグレンタンク７の上側において対向配置し、且つ、キャビン５内における前記座席５１の後端部より進行方向後側で且つ座席５１の左横側端部よりも左横側方で且つ脱穀部４上の収納状態にある放出筒８１よりも低い位置に前記放出筒８１用の操作装置５０ａを配置し、かつこの操作装置５０ａは、座席５１の前方に設ける前記操作装置５０及び座席５１の側方に設ける前記操作装置５０のいずれよりも高い位置に設けたことを特徴とするコンバインの放出筒操作装置。」
　なお、上記補正された特許請求の範囲第１項には、「かっこの操作装置５ｏａは、…低い位置に設けた」と記載されているが、出願人も認めているように、発明の詳細な説明及び図面の記載からみれば、上記「低い位置」は、「高い位置」の誤記と認められるから、上記「低い位置」を「高い位置」と読み替えて、本願発明を上記のとおり認定した。
２．引用例
　これに対して、原査定の拒絶の理由で引用した引用例１（実願昭５２−７８３８０号（実開昭５４−５６６１号）のマイクロフィルム）には、「図中（１）はトラックフレーム、（２）は走行クローラ、（３）は機台、・・・（６）は扱胴（１７）を内蔵してなる脱穀部、（８）は刈刃（９）を有する刈取部、・・・（１１）は穀稈搬送コンベア、・・・（１４）は運転台、（１５）は運転席、（１６）は運転操作部、・・・（１８）は前記脱穀部（６）の一番口（１９）から取出した穀粒を貯留する収納タンク、・・・（２２）は前記タンク（１８）から穀粒を取出す縦排出コンベア、（２３）は穀粒を送出す横排出コンベア」（公報第２頁１０行〜第３頁３行）と記載され、「横排出コンベア（２３）を昇降揺動すると共に、縦排出コンベア（２２）を中心にこれと共に横排出コンベア（２３）を水平方向に回転させ、そのコンベア（２３）を方向転換するように構成する。」（公報第１１頁１１行〜同頁１４行）と記載され、「収納タンク（１８）の前面上端部に突出させたロッド（１５０）端に回転ハンドル（１５２）を取付け、コンバインの運転席（１５）に乗った運転者によってそのハンドル（１５２）を回し、・・・縦排出コンベア（２２）を回動させ、横排出コンベア（２３）を方向転換するように形成する。」（公報第１３頁６行〜同頁１１行）と記載されており、同じく引用した引用例２（実願昭５７−６９１７８号（実開昭５８−１７０９２６号）のマイクロフィルム）には、「前記機台３の他側には前方から順に操作盤６及び運転席７とからなる運転部８と、穀粒タンク９と、・・・１２は運転部８の前後左右及び上面を覆ったキャビンであって、・・・上記壁板１３の穀粒タンク９より上方へ突出した部分は透明板を取付けた透視窓１６に形成してある。」（公報第３頁６行〜同頁１７行）と記載され、「更にまた、・・・壁板１３の上部の透視窓１６から後方を視認することができる。」（公報第５頁１９行〜同頁２０行）と記載されている。
３．対比・判断
  本願の発明（前者）と引用例１に記載の発明（後者）とを対比すると、後者の「走行クローラ（２）」、「機台（３）」、「刈取部（８）」、「運転操作部（１６）・ハンドル（１５２）」、「運転席（１５）」、「穀稈搬送コンベア（１１）」、「収納タンク（１８）」、「脱穀部（６）」、「縦排出コンベア（２２）」、「横排出コンベア（２３）」は、前者の「走行装置１０・１０」、「機体１」、「刈取部２」、「操作装置５０・５０ａ」、「座席５１」、「穀稈移送装置３」、「グレンタンク７」、「脱穀部４」、「揚穀筒８０」、「放出筒８１」に対応するから、両者は、「走行装置を有する機体１の前側に刈取部を設け、該刈取部の後方における機体前部には、進行方向右側に操作装置および座席を、進行方向左側に刈取部で刈り取った穀稈を後送する穀稈移送装置を夫れ夫れ設け、収穫穀粒を一時貯留するグレンタンクを、前記穀稈移送装置の後側に刈取穀稈を脱穀処理する脱穀部を、夫れ夫れ設けたコンバインにおいて、前記グレンタンクの後側に設ける揚穀筒の上端部に放出筒の基端部を接続連通して、該放出筒を旋回及び起伏回動可能に構成したコンバインの放出筒操作装置」の構成で−致するが、以下の点で構成が相違する。
（１）前者は、操作装置５０・５０ａ及び座席５１を囲い込むキャビン５を設け、前記キャビン５の後面側に窓５２を形成すると共に該窓５２と前記放出筒８１の基端部とをグレンタンク７の上側において対向配置しているのに対し、後者は、そのような構成を備えていない点。
（２）前者は、座席５１の後端部より進行方向後側で且つ座席５１の左横側端部よりも左横側方で且つ脱穀部４上の収納状態にある放出筒８１よりも低い位置に前記放出筒８１用の操作装置５０ａを配置し、かつこの操作装置５０ａは、座席５１の前方に設ける操作装置５０及び座席５１の側方に設ける操作装置５０のいずれよりも高い位置に設けているのに対し、後者は、ー方の操作装置（ハンドル（１５２））は、座席（運転席（１５））の後端部より進行方向後側で且つ座席の左横側端部よりも左横側方に配置し、かつこの操作装置は、座席の前方に設ける前記操作装置及び座席の側方に設ける前記操作装置のいずれよりも低い位置に設けているが、脱穀部上の収納状態にある放出筒とほぼ同じ高さ位置であり、他方の操作装置（昇降レバー（１５６））は、座席の左横側端部よりも左横側方で且つ脱穀部上の収納状態にある放出筒よりも低い位置に配置しているが、座席の後端部より進行方向後側ではなく、座席の前方に設ける前記操作装置よりも低い位置に設けている点。
　上記（１）及び（２）の相違点について検討する。
（１）について
　引用例２には、操作装置及び座席を囲い込むキャビンを設けることが記載されているから、引用例１のものにおいても、操作装置及び運転席（１５）を囲い込むようにキャビンを設けることは当業者が容易に想到し得るものであって、さらに、引用例２には、後方を視認し得るように、前記キャビンの後面側に窓を形成しており、引用例１のものでも、特に、放出筒の左右回動は、座席後方のハンドル（１５２）で操作するもの、即ち、放出筒を視認しながら操作するものであるから、引用例１に引用例２を適用する際に、放出筒の回動起点である基端部を視認できるように、該窓と放出筒の基端部とをグレンタンクの上側において対向配置させることは当業者が容易に想到し得るものである。そして、引用例１の操作装置および座席をキャビンで囲い込めば、グレンタンクは当然、キャビンの後側となる。
（２）について
　引用例１では、放出筒の上下傾動を、運転席（１５）側部に設けた昇降レバー（１５６）で行っているが、放出筒の上下傾動と左右回動とは一体のものであるから、上下傾動操作においても、その動作を視認できるように、座席後側の操作装置の近傍に設けることは、当業者が容易に想到し得るものであって、その操作装置を、脱穀部上の収納状態にある放出筒よりも低い位置に前記放出筒用の操作装置を配置することは、その操作性等に応じて当業者が適宜なし得る設計事項に過ぎないし、引用例２のキャビンを適用すれば、当然これら操作装置はキャビン内にあることになる。
   また、本願発明は、引用例１に記載された発明の構成と、引用例２に記載された発明の構成とを寄せ集めて得られる発明が奏する作用効果に比して、格別顕著な作用効果を奏するものではないものと認められる。
　したがって、本願発明は、引用例１に記載された発明と引用例２に記載された発明とに基づき当業者が容易に発明をすることができたものであるので、特許法第２９条第２項の規定により特許をうけることができない。
　よって、結論のとおり審決する。